(57)【要約】【課題】本発明は、ばねに接する摺動体に鋼球を配設し、磁気作用で鋼球を引き付けてばねを圧縮させ、発射させることを目的とする。【解決手段】本発明による磁気式パチンコ発射装置及び方法は、筒体(1)内のばね(2)に摺動体(6)を接触させ、その凹面(7)に鋼球(4)を位置させ、駆動コイル(3)を駆動して鋼球(4)を引き付けた後に駆動断とすることにより、ばね(2)の復元力によって鋼球(4)が発射される。【選択図】図１
2005065833.tif 000002
【特許請求の範囲】
【請求項１】
ばね(2)を作動自在に保持した筒体(1)と、前記筒体(1)の外周位置に設けられ駆動装置(10)によって駆動される駆動コイル(3)と、前記筒体(1)内に作動自在に設けられた摺動体(6)と、前記筒体(1)に設けられた球ガイド部材(5)とを備え、
前記駆動コイル(3)を駆動装置(10)からの駆動信号(10a)で駆動することにより、前記摺動体(6)の先端側(6b)に位置する鋼球(4)を前記ばね(2)側へ引き付け、前記駆動信号(10a)を断つことにより圧縮した前記ばね(2)の復元力によって前記鋼球(4)を発射することを特徴とする磁気式パチンコ発射装置。
【請求項２】
前記摺動体(6)は非磁性材よりなり、前記摺動体(6)の先端側(6b)には、前記鋼球(4)の外周に沿う凹面(7)が形成されていることを特徴とする請求項１記載の磁気式パチンコ発射装置。
【請求項３】
摺動体(6)の先端側(6b)に位置する鋼球(4)を磁気吸引で引き込むことにより、ばね(2)を圧縮させ、前記磁気吸引を断つことにより、前記ばね(2)の復元力によって前記摺動体(6)の摺動を介して前記鋼球(4)を発射することを特徴とする磁気式パチンコ発射方法。
【発明の詳細な説明】
【技術分野】
【０００１】
本発明は、磁気式パチンコ発射装置及び方法に関し、特に、摺動体を介して鋼球を引き付けてばねを圧縮させ、駆動信号断によるばねの復元によって鋼球を発射させるための新規な改良に関する。
【背景技術】
【０００２】
現在、パチンコ発射機においては、回転型ソレノイド及びモータ等により鎚を加速させ、この鎚で鋼球に衝撃を与えて球の発射を行う構成が主流で、例えば、特許文献１及び特許文献２に開示されている。
前述のパチンコ発射機は、構造が複雑で、かつ、ソレノイド又はモータ等のアクチュエータを必要とするため、生産性及びコストにおいて問題が多く、現在、一部において、特許文献３及び特許文献４に示されるように、鋼球に磁界を印加し、磁力によって鋼球を加速する方式も考案されて実用化の動きが出ている。
【０００３】
【特許文献１】特開２０００−１５７６６６号公報
【特許文献２】特開２０００−２７９５８２号公報
【特許文献３】実開平１−１７６４７７号公報
【特許文献４】実開昭５０−４１６８８号公報
【発明の開示】
【発明が解決しようとする課題】
【０００４】
従来のパチンコ発射機は、以上のように構成されていたため、次のような課題が存在していた。
すなわち、鋼球が吸引される距離及び必要な磁力の関係から、大電流を短時間に流し込む制御が必要とされ、実際には１０Ａ程度の電流を５ｍｓｅｃ流し込むと云う制御を行い、さらに球速度をハンドル角度に合わせて調整することになると、極めて微細な制御が必要とされ、製品誤差等による個体差を吸収しきれないと云う課題がある。
また、この課題を解決させるためには、駆動装置側に、極めて高精度の品質が要求されることとなり、コスト上からみて極めて困難であった。
【０００５】
本発明は、以上のような課題を解決するためになされたもので、特に、摺動体を介して鋼球を引き付けてばねを圧縮させ、駆動信号断によるばねの復元によって鋼球を発射させるようにした磁気式パチンコ発射装置及び方法を提供することを目的とする。
【課題を解決するための手段】
【０００６】
本発明による磁気式パチンコ発射装置は、ばねを作動自在に保持した筒体と、前記筒体の外周位置に設けられ駆動装置によって駆動される駆動コイルと、前記筒体内に作動自在に設けられた摺動体と、前記筒体に設けられた球ガイド部材とを備え、前記駆動コイルを駆動装置からの駆動信号で駆動することにより、前記摺動体の先端側に位置する鋼球を前記ばね側へ引き付け、前記駆動信号を断つことにより圧縮した前記ばねの復元力によって前記鋼球を発射する構成であり、また、前記摺動体は非磁性材よりなり、前記摺動体の先端側には、前記鋼球の外周に沿う凹面が形成されている構成であり、また、本発明による磁気式パチンコ発射方法は、摺動体の先端側に位置する鋼球を磁気吸引で引き込むことにより、ばねを圧縮させ、前記磁気吸引を断つことにより、前記ばねの復元力によって前記摺動体の摺動を介して前記鋼球を発射する方法である。
【発明の効果】
【０００７】
本発明による磁気式パチンコ発射装置及び方法は、以上のように構成されているため、次のような効果を得ることができる。
すなわち、鋼球を配設した摺動体をばねに当接させた状態で、鋼球を磁気吸引させ、ばねを圧縮して、励磁を断った後に、ばねの復元力によって鋼球発射を行うため、磁力の強さを変えることによってばねによる発射状態を容易に制御でき、任意の球飛びを実現することができる。
また、駆動コイルを長さ方向に沿って複数段設けることにより、磁力の中心を容易に移動することができ、また、球飛び位置に応じて駆動コイルの励磁パターンを選択して任意の球飛び状態を得ることができる。
【発明を実施するための最良の形態】
【０００８】
磁気式にばねを用いて鋼球を自在に発射する目的を、駆動コイルとばねと摺動体の組合せで、極めて単純な構成で実現できる。
【実施例】
【０００９】
図１において符号１で示されるものは、全体形状が筒形をなしスプリング等からなるばね２を作動自在に保持して内設する筒体であり、この筒体１の外周位置には、輪状に形成された駆動コイル３が設けられている。
【００１０】
前記筒体１の先端側６ｂには、発射された鋼球４をガイドする従来のレールに相当する球ガイド部材５が設けられていると共に、この筒体１内にはプラスチック又はアルミニウム等の非磁性材からなる摺動体６が摺動自在に設けられている。
【００１１】
前記摺動体６の一端側６ａは、前記ばね２に接触しており、この摺動体６の先端側６ｂには、鋼球４の外周面の形状に沿って形成された半球面状の凹面７（また、半球面ではなく角形の凹状でも可）が形成されている。
【００１２】
前記凹面７には、前記鋼球４が配設可能に構成され、前記駆動コイル３には駆動装置１０から駆動信号１０ａが供給されるように構成されている。
【００１３】
前述の構成において、前記凹面７内にパチンコ球である鋼球４がセットされ、駆動装置１０から駆動信号１０ａが駆動コイル３に供給されると、鋼球４上に電磁力Ｆが発生し、この鋼球４はばね２側へ引き込まれようとする。
この引き込み作用により、摺動体６も同じ方向に引き込まれようとするため、ばね２は圧縮される。この状態で、駆動装置１０からの駆動信号１０ａの供給を断つことにより、ばね２はその復元力によって摺動体６を前方へ押し出すと共に鋼球４が筒体１から球ガイド部材５を介して発射される。
【００１４】
また、駆動コイル３を複数段巻くことにより、状態に合わせてその駆動コイル数を選択し、鋼球４の発射速度を自在に変えることができる。
また、この駆動コイル３の駆動パターン、すなわち、励磁パターンを予め種々用意して選択することにより、鋼球４の発射パターンを自在に変えることができる。
また、図２で示されるように、前記摺動体６の凹面７に、前記駆動コイル３が形成する磁界Ｇの向きと９０度交差した角度で、前記鋼球４と接触可能な一対の接触電極２０が形成されており、前記駆動コイル３を駆動した時に磁界Ｇに対して９０度交差して電流Ｉが流れるように構成されている。
前記電流Ｉは、各接触電極２０上に載置されている鋼球４を介して流れるため、この電流Ｉが流れる時に図１と同様の電磁力Ｆが作用し、図１よりも一層強力にばね２の圧縮を行うことができるものである。
【産業上の利用可能性】
【００１５】
本発明における発射装置は、その構成が簡単であるため、パチンコに限らず、玩具の発射装置にも適用が可能となる。
【図面の簡単な説明】
【００１６】
【図１】本発明による磁気式パチンコ発射装置及び方法を示す構成図である。
【図２】図１の他の形態を示す平面図である。
【符号の説明】
【００１７】
１    筒体
２    ばね
３    駆動コイル
４    鋼球
５    球ガイド部材
６    摺動体
７    凹面
１０    駆動装置
【図１】
2005065833.tif 000003
【図２】
2005065833.tif 000004